(57)【特許請求の範囲】
【請求項１】
シリンダに設けたピストンで、シリンダ内を一方の圧力室と他方の圧力室とに区画するとともに、この一方の圧力室を加圧側に接続し、他方の圧力室を測定対象である回路などに接続し、一方の圧力室を加圧したときのピストンの移動量で、測定対象である回路などのリーク量を測定する構成にする一方、上記両圧力室内におけるピストンの受圧面積を等しくしたリーク測定器において、ピストンには、上記他方の圧力室から一方の圧力室への流通のみを許容するチェック弁を設けたリーク測定器。
【発明の詳細な説明】
【０００１】
【発明の属する技術分野】
この発明は、シリンダ内のピストンの移動量で、測定対象である回路などの漏れを検出するためのリーク測定器に関する。
【０００２】
【従来の技術】
この種のリーク測定器として、図２に示すものが従来から知られている。この従来のリーク測定器は、シリンダＣ内にピストン保持部１を形成するとともに、このピストン保持部１にピストンＰを摺動自在に保持させている。
上記のようにピストン保持部１にピストンＰを挿入することによって、シリンダＣ内を一方の圧力室２と他方の圧力室３とに区画している。
また、このピストンＰは、その軸線上に検出孔４を形成している。この検出孔４は、一方の圧力室２側だけに開口させている。そして、上記検出孔４の底部を含めた一方の圧力室２側の受圧面積Ｓ1と、他方の圧力室３の受圧面積Ｓ2とを等しくしている。このようにした検出孔４の開口部分にはコイルからなるセンサー素子５を設けている。
【０００３】
さらに、上記一方の圧力室２側には、検出棒６を固定しているが、この検出棒６は上記検出孔４の内径よりも小さくして、それら両者を非接触の状態に保っている。このように非接触状態を保っているので、一方の圧力室２の圧力が検出孔４の底部にも作用することになる。したがって、上記したように両圧力室２，３における受圧面積Ｓ1およびＳ2が等しくなる。
【０００４】
上記検出棒６にはコア７を設け、このコア７と上記センサー素子５とで、非接触のストロークセンサーとしての差動トランスを構成している。また、上記検出棒６は、シリンダＣの外側に設けた検出器８と電気的に接続されている。
このようにした差動トランスは、コア７とセンサー素子５との相対位置に応じて誘起電圧が変化するもので、この誘起電圧の変化を検出器８で検出することによって、ピストンＰの移動量を検出する。
【０００５】
したがって、例えば、一方の圧力室２を図示していない加圧側に接続し、他方の圧力室３を測定対象側に接続したとすると、その測定対象側に漏れがなければ、両圧力室２，３内の圧力が等しくなるが、その理由は次のとおりである。すなわち、一方の圧力室２側の圧力を上昇させたとき、測定対象側に漏れがなければ、ピストンＰは移動できない。このようにピストンＰが移動できないということは、一方の圧力室２側におけるピストンＰの作用力と、他方の圧力室３側の反力とが釣り合っていることを意味している。しかも、上記したようにピストンＰの受圧面積Ｓ1とＳ2とが等しいので、ピストンＰに作用する力が、上記のように釣り合っているときには、両圧力室２，３の圧力も等しくなる。
【０００６】
そして、測定対象側で漏れが発生すると、他方の圧力室３内の圧力が、その漏れ量分だけ低くなる。そのためにピストンＰが図面右方向に移動するが、このとき前記差動トランスに、ピストンＰの移動量に応じた誘起電圧が発生する。この誘起電圧を検出器８で検出して、ピストンＰの移動量すなわち測定対象側の漏れ量を測定する。
【０００７】
【発明が解決しようとする課題】
上記のようにした従来のリーク測定器は、それを使用するときに、まず最初に他方の圧力室３に測定対象側の圧力を導き、その後に、一方の圧力室２側の圧力を上昇させていく。ただし、この一方の圧力室２にも、初期圧を作用させているが、その圧力はかなり低いものにしている。
上記の状態で、測定対象側の圧力が高いと、ピストンＰが一方の圧力室２側のストロークエンドまで移動する。その後に、この一方の圧力室２の圧力を上昇させていくが、この圧力室２内の圧力が、他方の圧力室３内の圧力まで上昇しないと、測定ができない。
つまり、この従来の測定器では、圧力室２側の圧力が上昇して漏れ量を測定できるようになるまで、多少の時間がかかるという問題があった。
この発明の目的は、一方の圧力室に圧力を導いたら、すぐに測定ができるようにしたリーク測定器を提供することである。
【０００８】
【課題を解決するための手段】
この発明は、シリンダに設けたピストンで、シリンダ内を一方の圧力室と他方の圧力室とに区画するとともに、この一方の圧力室を加圧側に接続し、他方の圧力室を測定対象である回路などに接続し、一方の圧力室を加圧したときのピストンの移動量で、測定対象である回路などのリーク量を測定する構成にする一方、上記両圧力室内におけるピストンの受圧面積を等しくしたリーク測定器を前提にする。
上記の測定器を前提にしつつ、ピストンには、上記他方の圧力室から一方の圧力室への流通のみを許容するチェック弁を設けた点に特徴を有する。
【０００９】
【発明の実施の形態】
図１に示した実施例は、ピストンＰにチェック弁９を介して他方の圧力室３と検出孔４すなわち一方の圧力室２とを連通させている。そして、このチェック弁９は、他方の圧力室３から一方の圧力室２への流通のみを許容する構成にしている。
上記以外の構成は、すべて従来と同様である。
【００１０】
今、ある圧力を保持している測定対象側に他方の圧力室３を接続すると、そこに導かれた圧力流体は、チェック弁９を押し開いて一方の圧力室２にも導かれる。したがって、両圧力室２，３が即座に同圧になる。言い換えると、他方の圧力室３を測定対象に接続すると同時に、測定可能状態になる。
【００１１】
上記のように両圧力室２，３が同圧になった後は、従来と同様に機能する。すなわち、測定対象側に漏れが発生すれば、その漏れ分だけ、他方の圧力室３内の圧力が低くなる。したがって、一方の圧力室２内の圧力が打ち勝って、ピストンＰは右方向に移動するとともに、その移動量に基づいて、測定対象側の漏れ量を測定できる。
なお、上記のようにピストンＰが右方向に移動するときには、一方の圧力室２側の圧力が、他方の圧力室３の圧力よりも高くなるので、チェック弁９は閉じた状態を維持する。言い換えると、一方の圧力室２側の流体が、他方の圧力室３側に漏れたりしない。
【００１２】
なお、上記実施例では、ピストンＰの移動量を、センサー素子５とコア７との相対移動量で検出するようにしている。しかし、発明としては、ピストンＰの受圧面積を等しくした測定器であれば、ピストンの移動量を検出する機構は、どのようなものでもよい。例えば、ピストンの移動量を、シリンダＣの外部に取り出して、それを測定するようなものであってもよい。
【００１３】
【発明の効果】
この発明のリーク測定器によれば、測定対象側の圧力が高い場合にも、それをシリンダに接続すると同時に、漏れを測定できることになる。したがって、従来のように、測定可能状態になるまでに、時間がかかるといった問題を解消できる。
【図面の簡単な説明】
【図１】断面図である。
【図２】従来のリーク測定器の断面図である。
【符号の説明】
Ｃ      シリンダ
Ｐ      ピストン
１      ピストン保持部
２      一方の圧力室
３      他方の圧力室
４      検出孔
５      素子としてのセンサー素子
９      チェック弁
【図１】
0003683756.tif 000002
【図２】
0003683756.tif 000003